(57)【特許請求の範囲】
【請求項１】
長尺材を巻芯上に巻いたロール製品について、その少なくとも一端部に露出している前記巻芯の端部に取り付けられて、前記ロール製品の少なくとも一端部の保護を行うプロテクタであって、
前記巻芯の端部が取り付けられる穴を有したプロテクタ本体と、
このプロテクタ本体の外周に取り付けられて、複数で当該プロテクタの外形を形成することになる外形枠体とを備え、
前記プロテクタ本体を、互いに突き合わせて連結される２枚の本体シェルによって構成するとともに、前記各本体シェルを、外面が平滑面であるシェル面と、このシェル面の内面に形成されて、当該プロテクタの厚さ方向に立設した複数のリブとにより構成したことを特徴とするプロテクタ。
【請求項２】
前記穴に外側から挿入されて前記巻芯の端部に嵌合され、かつフランジによって前記穴の外側に係止される取付補助筒を備えたことを特徴とする請求項１に記載のプロテクタ。
【発明の詳細な説明】
【技術分野】
【０００１】
本発明は、プラスチックフィルム、プラスチックシート、紙等の長尺基礎製品を巻芯にロール状に巻いた製品のためのプロテクタに関するものである。
【背景技術】
【０００２】
プラスチックフィルム、プラスチックシート、紙等の長尺な基礎製品は、巻芯にロール状に巻いて製品化される。また、このロール製品は、これを運搬したり保管したりする際に、ロールの端部に「プロテクタ」を取り付けることにより、長尺基礎製品の端部が汚れたり破損したりしないように保護するだけでなく、例えば図１の（ｂ）に示すように、床面や包装箱の内底面から所定高さ浮かせて、ロール製品表面が直接床面等に触れないようにされる。
【０００３】
この種のロール製品用プロテクターとしては、特許文献１及び特許文献２にも提案されているように、方形の側板部の中心付近から円筒状支軸が突設されたもの等が挙げられる。この種のロール製品用プロテクターは、ロール製品の両端面を一対のプロテクターの側板部で挟持するとともに、支軸を芯材（巻芯）の中空孔に挿入してロール製品を支持することによりロール製品の側端部を保護するものである。そして、このようなロール製品用プロテクターで保護されたロール製品は、両側板部の外側に梱包用バンドを十字状に掛けて全体を緊締し、さらにダンボール箱等に収納したりシートで包んだりして輸送や保管に供されているのである。
【先行技術文献】
【特許文献】
【０００４】
【特許文献１】特開２０１０−２２８８０５号公報、要約、代表図
【特許文献２】特許第５１３１８４５号掲載公報、図１
【発明の概要】
【発明が解決しようとする課題】
【０００５】
特許文献１には、「衝撃を吸収してプロテクターの破損を防止し、更に、衝撃が加わったことを検知したり、衝撃が加わった時間等を検知することができるロール製品用プロテクターを提供する」ことを目的とした「ロール製品用プロテクター」が提案されている。
【０００６】
この特許文献１のロール製品用プロテクターは、図７に示すように、「側板部２と該側板部２の中央部から突設した支軸３を有するロール製品用プロテクター１において、前記側板部２の外周に、衝撃を吸収するための緩衝部４が設けられ、必要に応じ、衝撃を受けた際に破れる容器に封入したインキや衝撃を受けた際に停止される時計等の衝撃表示手段が組み込まれている」もので、上記目的が達成できるものと考えられる。
【０００７】
しかしながら、この特許文献１のロール製品用プロテクターは、図７に示すように、これを補強するための多数のリブが一方の面で露出したままとなっているから、これらのリブ間にホコリが一旦入ってしまうと、その清掃や取り出しが非常に困難であると考えられる。「ホコリ」は、プラスチックフィルムやプラスチックシート等の基礎製品自体に付着し易く、基礎製品自体を傷ものとする可能性があるものであり、これによって汚損されたロール製品用プロテクタは、次のロール製品のためには使用できないことになる。
【０００８】
また、この特許文献１のロール製品用プロテクターは、その大きさが変更できないものとなっていると考えられるため、ロール製品の大きさが異なれば、それに応じた大きさのものを別途用意する必要があって、再利用がしにくいものとなっていると考えられる。
【０００９】
一方、特許文献２には、「使用時の自立の安定性に優れかつ、不使用時における積み重ね高さを抑えることが可能なロール保護盤の提供」を目的とした「ロール保護盤」が提案されており、この「ロール保護盤」は、図８に示すように、例えば、
「ロールの端面を覆うことが可能な四角形の板状をなしかつ、前記ロールの芯材の端部を支持可能な溝状又は孔状の芯材支持部を備えたロール保護盤であって、使用時には、起立姿勢にされて前記ロールの両端部に配置され、前記ロールを浮かせた状態に保持する一方、不使用時には寝かせた姿勢で積み重ねられるロール保護盤において、前記ロール保護盤の四隅の角部のうち前記起立姿勢で下側に位置する両角部から突出してロール保護盤の自立を補助する１対のコーナー支柱を設けると共に、ロール保護盤の残りの両角部を前記コーナー支柱の断面形状と同一又はそれより広い範囲で切除して１対のコーナーカット部を形成し、前記不使用時に前記コーナー支柱を上方に向けかつ複数のロール保護盤を交互に１８０度旋回させて積み重ねた際に、下側のロール保護盤における前記コーナー支柱を上側のロール保護盤における前記コーナーカット部の側方に収容して、上下のロール保護盤を、四辺の外縁部がそれぞれ一致した正規積み重ね位置に配置可能としたことを特徴とする」
ものである。
【００１０】
この特許文献２の「ロール保護盤」も、上記特許文献１の「ロール製品用プロテクター」と同様に、図８に示すように、これを補強するための多数のリブが一方の面で露出したままとなっていて、これらのリブ間にホコリが一旦入ってしまうと、その清掃や取り出しが非常に困難であると考えられるから、ホコリによって汚損された「ロール保護盤」は、次のロール製品のためには使用できないことになる。
【００１１】
また、この特許文献２の「ロール保護盤」も、その大きさが変更できないものとなっていると考えられるため、ロール製品の大きさが異なれば、それに応じた大きさのものを別途用意する必要があって、再利用がしにくいものとなっていると考えられる。
【００１２】
要するに、上記特許文献１及び２にて提案されている「ロール製品用プロテクター」や「ロール保護盤」は、プラスチックフィルム、プラスチックシート、紙等の長尺基礎製品のための包装資材の一種であって、所謂使い捨てされる「ワンウエイ製品」である。
【００１３】
しかしながら、近年においては、「使い捨て」が美徳とは考えられなくなってきており、むしろ、「ゴミは資源である」という考え方が一般的になってきているため、包装資材といえども、この考え方に沿った改良が必要になってきている。
【００１４】
つまり、本発明が対象としているロール製品のためのプロテクターについては、
（１）再利用ができるようにすること
（２）汎用性を高くして、規格揃えを容易にすること
（３）ホコリが付着しにくく、付着したとしても簡単に取り除けること
とする要望が高まってきているのである。
【００１５】
そこで、本発明者等は、上記（１）〜（３）の要望を同時に満足させるにはどうしたらよいか、について種々検討を重ねてきた結果、本発明を完成したのである。
【００１６】
すなわち、本発明の第一目的は、再利用ができて、汎用性も高くすることができるロール製品用のプロテクタを、簡単な構成によって提供することにある。
【００１７】
また、本発明の第二目的は、上記第一目的を達成できて、ホコリの付着防止ができ、付着したホコリや汚れの除去も容易なロール製品用のプロテクタを提供することにある。
【課題を解決するための手段】
【００１８】
以上の課題を解決するために、まず、請求項１に係る発明の採った手段は、後述する実施形態の説明中で使用する符号を付して説明すると、
「長尺材２１を巻芯２２上に巻いたロール製品２０について、その少なくとも一端部に露出している巻芯２２の端部に取り付けられて、ロール製品２０の少なくとも一端部の保護を行うプロテクタ１０であって、
巻芯２２の端部が取り付けられる穴１３を有したプロテクタ本体１１と、
このプロテクタ本体１１の外周に取り付けられて、複数で当該プロテクタ１０の外形を形成することになる外形枠体１２とを備え、
プロテクタ本体１１を、互いに突き合わせて連結される２枚の本体シェル１１Ａによって構成するとともに、各本体シェル１１Ａを、外面が平滑面であるシェル面１１ａと、このシェル面１１ａの内面に形成されて、当該プロテクタ１０の厚さ方向に立設した複数のリブ１１ｂとにより構成したことを特徴とするプロテクタ１０」
である。
【００１９】
このプロテクタ１０は、ロール製品２０の少なくとも一端部の保護を行うものであり、長尺材２１を巻芯２２上に巻いたロール製品２０の少なくとも一端部に露出している巻芯２２の端部に取り付けられて使用されるものであるが、図１に示すように、ロール製品２０の外形より大きいものを２つ用意して、これらをロール製品２０の巻芯２２の両側に取り付けて使用するのが一般的である。なお、巻芯２２は、その上に長尺材２１を巻回する際には、その両端を巻回機のチャックに固定されるものである。
【００２０】
このプロテクタ１０は、巻芯２２の端部が取り付けられる穴１３を有したプロテクタ本体１１と、このプロテクタ本体１１の外周に取り付けられる複数の外形枠体１２とからなるものであるが、プロテクタ本体１１は、図１に示すように、その中心に形成した穴１３によって、ロール製品２０を構成している巻芯２２の端部に取り付けられるものである。また、このプロテクタ本体１１の外形は、種々考えられるが、図２に示すような正方形や、図６に示すような真円形のように、穴１３の中心線に対して線対称のものとすることによって、次に述べる外形枠体１２の数を「２」とすることができて好ましい。
【００２１】
プロテクタ１０を構成している外形枠体１２は、プロテクタ本体１１の外周に取り付けられることによって、当該プロテクタ１０の外形を形成することになるものであり、プロテクタ本体１１の外周への取付けを容易にするために、複数に分割されているものである。特に、プロテクタ本体１１の外形が、図２に示すような正方形や、図６に示すような真円形のように、穴１３の中心線に対して線対称のものである場合には、この外形枠体１２は、その数を「２」とすることができるだけでなく、左右同じ形状のものとすることができる。
【００２２】
また、これらの外形枠体１２は、図２の（ａ）に示すように、これをプロテクタ本体１１の外周に取り付けることによってプロテクタ１０の外形を決定することになるものであり、大きさの異なるものを用意しておくことによって、プロテクタ１０自体の大きさを、プロテクタ本体１１を共通して使用しても、図２の（ａ）中の実線と仮想線にて示した大きさに変更できるものである。
【００２３】
換言すれば、この請求項１に係るプロテクタ１０は、プロテクタ本体１１そのものは次のロール製品２０の搬送や保管のために再使用できるものであり、外形枠体１２は次のロール製品２０の大きさに応じたものを選定することによって、次のロール製品２０の保護を十分行えるものとすることができるものとなっているのである。つまり、径の異なるロール製品２０を一定の場所に定期的に搬送する場合等において、前に使用したプロテクタ１０のプロテクタ本体１１を、次の使用のために再使用することができるのであり、当該プロテクタ１０は、全体として汎用性を有したものとなっているのである。
【００２４】
なお、各外形枠体１２については、プロテクタ１０を取り付ける場所にプロテクタ本体１１とともに戻す（使用済みのプロテクタ１０を処理のために運搬しようとすれば、当然プロテクタ本体１１と外形枠体１２とは同時に運搬される）ことによって、例えば次の次に使用する場合に再び使用することもできるのであり、この外形枠体１２についての再使用も行えることは言うまでもない。
【００２５】
以上のようにしたプロテクタ１０は、ロール製品２０の外形より大きくて同じ大きさのものを２つ用意して、これらをロール製品２０の巻芯２２の両側に取り付けて使用すれば、図１の（ｂ）に示すように、ロール製品２０の両端部を完全に包むことは勿論、ロール製品２０の側面を床面や箱の内底面から所定寸法浮かせて支持することになる。その結果、ロール製品２０は、その全体を両プロテクタ１０によって保護されるのである。
【００２６】
従って、この請求項１に係るプロテクタ１０は、まず第一に、再利用ができて、汎用性も高いものとなっているのである。
【００２７】
また、このプロテクタ１０については、プロテクタ本体１１を、互いに突き合わせて連結される２枚の本体シェル１１Ａによって構成してある。
【００２８】
このプロテクタ１０では、そのプロテクタ本体１１を、互いに突き合わせて連結される２枚の本体シェル１１Ａによって構成したものであり、各本体シェル１１Ａについては、例えば図３に示すように形成されるものである。
【００２９】
このように、プロテクタ本体１１を、互いに突き合わせて連結される２枚の本体シェル１１Ａによって構成すれば、閉じた二枚貝のように、これら本体シェル１１Ａの間に空間を確保することができるから、当該プロテクタ本体１１全体の重量や使用される材料を低減することができることになる。
【００３０】
従って、この請求項１に係るプロテクタ１０は、第二に、上記と同様な機能を発揮する他、重量や材料を低減することができるものとなっているのである。
【００３１】
さらに、このプロテクタ１０については、各本体シェル１１Ａを、外面が平滑面であるシェル面１１ａと、このシェル面１１ａの内面に形成されて、当該プロテクタ１０の厚さ方向に立設した複数のリブ１１ｂとにより構成してある。
【００３２】
このプロテクタ１０では、その各本体シェル１１Ａが、図３の（ａ）〜（ｃ）に示すように、シェル面１１ａと、このシェル面１１ａの内面に形成した複数のリブ１１ｂとにより構成してある。
【００３３】
各本体シェル１１Ａのシェル面１１ａは、図２及び図３の各（ｂ）に示すように、外面が平滑面としてあるから、このようなシェル面１１ａを有する２枚の本体シェル１１Ａを互いに突き合わせて一体化することにより、プロテクタ１０自体は、全体として、外面が平滑的なものとして完成されて、外面にホコリが付いたり蓄積したり、あるいは汚れたりしにくくなっているのである。しかも、外面が平滑的なプロテクタ１０であれば、仮にその表面にホコリや汚れが付着したとしても、洗浄水等によって簡単に流し落とすことができるものとなっているのである。
【００３４】
また、各本体シェル１１Ａのシェル面１１ａは、図２及び図３の各（ｂ）に示すように、内面に当該プロテクタ１０の厚さ方向に複数のリブ１１ｂを立設したものであるから、このようなシェル面１１ａを有する２枚の本体シェル１１Ａを互いに突き合わせて一体化することにより、各リブ１１ｂがシェル面１１ａによって包まれたものとして完成される。このため、当該プロテクタ１０は、全体として、内部にリブ１１ｂが存在することになって、「プロテクタ」として必要な剛性を備えたものとなり、しかも軽量化されたものとなっているである。
【００３５】
従って、この請求項１に係るプロテクタ１０は、第三に、上記と同様な機能を発揮する他、ホコリの付着防止ができ、付着したホコリや汚れの除去も容易なものとなっているのである。
【００３６】
そして、上記課題を解決するために、請求項２に係る発明の採った手段は、上記請求項１に記載のプロテクタ１０について、
「穴１３に外側から挿入されて巻芯２２の端部に嵌合され、かつフランジ１４ａによって穴１３の外側に係止される取付補助筒１４を備えたこと」
である。
【００３７】
この請求項２に係るプロテクタ１０は、これをロール製品２０に取り付けるにあたって使用される取付補助筒１４をも備えたものであり、この取付補助筒１４は、図５の（ｂ）及び（ｃ）に示したようなものである。すなわち、この取付補助筒１４は、図５の（ｂ）及び（ｃ）に示したように、筒状のものであって、当該プロテクタ１０の穴１３に外側から挿入されて巻芯２２の端部に嵌合されるものであり、かつ一端部に一体形成したフランジ１４ａによって穴１３の外側に係止されるものである。
【００３８】
この取付補助筒１４の筒部及びフランジ１４ａは、その径が、対象となるロール製品２０の巻芯２２の外形や内径に合わせて形成されるものであり、これと同時に、フランジ１４ａの外形は、プロテクタ本体１１に形成してある穴１３の内径に応じて決定したものである。これにより、巻芯２２の端部に当該取付補助筒１４を嵌合するにあたって、当該取付補助筒１４の筒部の大きさを巻芯２２の内径または外形に合ったものとしてガタつかないようにするとともに、当該取付補助筒１４とプロテクタ本体１１側の穴１３との間の隙間をフランジ１４ａによって閉じることができるのである。
【００３９】
従って、この請求項２のプロテクタ１０は、上記請求項１のそれと同様な機能を発揮する他、当該プロテクタ１０とロール製品２０とのガタつきや隙間発生を防止できるものとなっているのである。
【発明の効果】
【００４０】
以上、説明した通り、本発明においては、
「長尺材２１を巻芯２２上に巻いたロール製品２０について、その少なくとも一端部に露出している巻芯２２の端部に取り付けられて、ロール製品２０の少なくとも一端部の保護を行うプロテクタ１０であって、
巻芯２２の端部が取り付けられる穴１３を有したプロテクタ本体１１と、
このプロテクタ本体１１の外周に取り付けられて、複数で当該プロテクタ１０の外形を形成することになる外形枠体１２とを備え、
プロテクタ本体１１を、互いに突き合わせて連結される２枚の本体シェル１１Ａによって構成するとともに、各本体シェル１１Ａを、外面が平滑面であるシェル面１１ａと、このシェル面１１ａの内面に形成されて、当該プロテクタ１０の厚さ方向に立設した複数のリブ１１ｂとにより構成したこと」
にその構成上の特徴があり、これにより、再利用ができて、汎用性も高くすることができるロール製品２０用のプロテクタ１０を、簡単な構成によって提供することができる（第一目的の達成）のであり、また、ホコリの付着防止ができ、付着したホコリの除去も容易なロール製品２０用のプロテクタ１０を提供することができる（第二目的の達成）のである。
【図面の簡単な説明】
【００４１】
【図１】本発明に係るプロテクタ１０を使用してロール製品２０の端部の保護を行っている様子を示すもので、（ａ）は斜視図、（ｂ）は側面図である。
【図２】同プロテクタ１０の一実施例を示すもので、（ａ）は各部品を一体化したときの平面図、（ｂ）は外形枠体１２をプロテクタ本体１１に対して脱着している様子を示す分解図である。
【図３】同プロテクタ１０を構成しているプロテクタ本体１１の本体シェル１１Ａの一例を示すもので、（ａ）は内面図、（ｂ）は（ａ）中の１−１線に沿って見た断面図、（ｃ）は（ｂ）に示した他の実施例を示す断面図である。
【図４】同プロテクタ１０を構成しているプロテクタ本体１１の外形枠体１２の一例を示すもので、（ａ）は内側の様子を示す側面図、（ｂ）は（ａ）中の２−２線に沿って見た部分拡大背面図である。
【図５】取付補助筒１４をも備えたプロテクタ１０を示すもので、（ａ）は平面図、（ｂ）は取付補助筒１４の拡大側面図、（ｃ）は拡大縦断面図である。
【図６】同プロテクタ１０の一実施例を示すもので、（ａ）は各部品を一体化したときの平面図、（ｂ）は外形枠体１２をプロテクタ本体１１に対して脱着している様子を示す分解図である。
【図７】特許文献１に示された技術を示す平面図である。
【図８】特許文献２に示された技術を示す分解斜視図である。
【発明を実施するための形態】
【００４２】
次に、以上のように構成した各請求項に係る発明を、図面に示した実施の形態であるプロテクタ１０について説明すると、図１の（ａ）及び（ｂ）には、図２〜図４に示した実施例に係るプロテクタ１０を、長尺材２１を巻芯２２に巻き取ったロール製品２０の両側部に、巻芯２２の端部を利用して取り付けた状態の斜視図及び側面図が示してある。この場合、プロテクタ１０は、ロール製品２０の側面の外形より大きなものを２枚使用しているものであり、図１の（ｂ）に示したように、ロール製品２０を床面等から所定寸法浮かせて支持している。
【００４３】
このプロテクタ１０は、図２にも示したように、主として穴１３を有するプロテクタ本体１１と、このプロテクタ本体１１の外周に取り付けた２本の外形枠体１２とを備えたものであり、これらのプロテクタ本体１１及び外形枠体１２は合成樹脂を材料として一体成形したものである。勿論、このプロテクタ１０は、合成樹脂によって形成しなければならないものではなく、可能であれば、例えば木材を細かくしたものを押し固めて形成して実施してもよいものである。
【００４４】
本実施形態に係るプロテクタ本体１１は、図２及び図３に示したように、平面視「正四角形」に形成したものではあるが、図６に示したように、「真円形」に形成したものであっても、また、図示はしていないが、他の形状に形成したものであってもよい。いずれにしても、当該プロテクタ本体１１は、その外形を、図２及び図６に示したように、後述する穴１３の中心線に対して線対象形状のものにすると、後述する外形枠体１２の本数を２本と数少ないものとすることができるだけでなく、これらの外形枠体１２の製造、及びプロテクタ本体１１に対する取付けを容易にすることができる。何故なら、同一形状の２本の外形枠体１２を製造するだけで１枚のプロテクタ本体１１に適用できるからであり、外形枠体１２を互いに反対に向けて突き合わせれば、プロテクタ本体１１の外周を２本の外形枠体１２で完全に囲むことができるからである。
【００４５】
従って、プロテクタ本体１１の外形は、上記の正四角形のように、偶数の角を有する正多角形にすると、外形枠体１２の製造やプロテクタ本体１１に対する取付けを容易にすることができる。
【００４６】
また、本実施形態に係るプロテクタ本体１１は、図３に示した本体シェル１１Ａを２枚用意して、これらを互いに突き合わせて一体化したものである。この場合、各本体シェル１１Ａは、図３の（ａ）及び（ｂ）に示したように、外面が平滑面であるシェル面１１ａと、このシェル面１１ａの内面に形成された複数のリブ１１ｂとにより構成し、各リブ１１ｂが内側になるようにして、これらを互いに突き合わせて一体化するとよい。何故なら、当該プロテクタ本体１１の外面は、各シェル面１１ａの外面によって平滑面となり、ホコリの付着がしにくいものとなるだけでなく、ホコリや汚れが付着したとしても、水等によって簡単に流し落とせるものとなるからである。
【００４７】
また、この本体シェル１１Ａについて、各リブ１１ｂが内側になるようにして、これらを互いに突き合わせて一体化すると、各リブ１１ｂはシェル面１１ａに覆われてホコリや汚れから保護されるだけでなく、各リブ１１ｂ間に多数の空間が形成できて、材料である合成樹脂の量を少なくできる。勿論、各リブ１１ｂによって、本体シェル１１Ａ、あるいはこれによって形成されるプロテクタ本体１１に必要とされる剛性が確保されることは言うまでもない。
【００４８】
さらに、本実施形態のプロテクタ本体１１においては、図２の（ｂ）に示したように、外周に嵌合フランジ１１ｃが形成してある。この嵌合フランジ１１ｃは、本実施形態の場合、他の部分に対して一段薄くなった部分として形成したものであり、後述する外形枠体１２を取り付けたとき、当該外形枠体１２の表面とプロテクタ本体１１の表面がほぼ同一面を形成するようにしている。また、本実施形態の嵌合フランジ１１ｃでは、図２の（ｂ）に示したように、複数の係止凹部１１ｄを表面に形成したものであり、これらの係止凹部１１ｄは、外形枠体１２を取り付けたときの係止部分となるものである。
【００４９】
なお、２枚の本体シェル１１Ａの内、外側とする本体シェル１１Ａについては、図３の（ｃ）に示したように、その外面コーナー部に支持脚１５をそれぞれ形成して実施してもよい。この支持脚１５は、上記特許文献２でいう「コーナー支柱」に該当するもので、これらが地面に付くようにロール製品２０を傾斜させて転がせば、長尺材２１の端部に傷や変形を与えることなく、ロール製品２０の移動を行えるようにするものである。
【００５０】
各外形枠体１２は、図２及び図６の各（ｂ）に示したように、「コ字状」または「半円状」に形成されたもので、その２個をプロテクタ本体１１の外周に取り付けたとき、プロテクタ本体１１より大きい相似形の外形を形成することになるものである。
【００５１】
本実施形態に係る各外形枠体１２は、例えば図４の（ａ）及び（ｂ）に示したように、内側に嵌合溝１２ａを形成したものであり、この嵌合溝１２ａ内に上記プロテクタ本体１１側の嵌合フランジ１１ｃが嵌合されるのである。また、この嵌合溝１２ａ内には、図２の（プロテクタ１０）にて示したように、上記プロテクタ本体１１側の嵌合フランジ１１ｃに形成した係止凹部１１ｄに嵌まり込む係止凸部１２ｂが形成してあり、これらの係止凸部１２ｂは、当該外形枠体１２がプロテクタ本体１１の外周に完全に取り付けられたとき各係止凹部１１ｄに嵌まり込んで、各外形枠体１２のプロテクタ本体１１に対する位置決めと、その位置での固定を行うものである。
【００５２】
そして、図１〜図３に示したように、プロテクタ本体１１の中心には穴１３が形成してあるが、この穴１３には、ロール製品２０を構成している巻芯２２の端部が嵌合されるものであり、これによって当該プロテクタ１０のロール製品２０に対する位置決めと取付けがなされるものである。勿論、この穴１３の形状は、巻芯２２とプロテクタ１０との一体化が、できるだけ隙間なく行えるようにするために、巻芯２２の端部の形状に合わせて形成されるものである。
【００５３】
この穴１３は、プロテクタ本体１１が本実施形態に係る２枚の本体シェル１１Ａによって形成される場合には各本体シェル１１Ａに形成されるものであり、巻芯２２の端部は、プロテクタ本体１１の厚さ分だけ離れた２つの穴１３において当該プロテクタ１０に対して固定されることになる。
【００５４】
一方、図５には、取付補助筒１４をも備えたプロテクタ１０が示してある。この取付補助筒１４は、図５の（ｂ）及び（ｃ）に示したように、筒状部分の外端に一体化したフランジ１４ａを有するとともに、筒状部分内に回り止め１４ｂを形成したものである。なお、本実施形態の取付補助筒１４では、その筒状部分の外周にも複数本の突条が形成してあり、当該筒状部分が巻芯２２の端部内に嵌合される場合に、巻芯２２と取付補助筒１４との間に隙間が生じないようにするものである。
【００５５】
図５に示した取付補助筒１４は、基本的には、巻芯２２の外端にその筒状部分を被せるようにして取り付けることを想定したものであり、その場合の、巻芯２２端部に対する筒状部分の回り止めを果たすのが回り止め１４ｂである。従って、各回り止め１４ｂは、図５の（ａ）及び（ｃ）に示したように、巻芯２２の軸方向と平行に形成してある。
【００５６】
この取付補助筒１４のフランジ１４ａは、図５の（ａ）に示したように、プロテクタ本体１１側の穴１３の直径より大きい外形を有するものとしたもので、このフランジ１４ａによって、穴１３内の巻芯２２周囲に発生するかも知れない隙間を覆うことになるものである。
【００５７】
以上の実施形態では、プロテクタ１０を構成しているプロテクタ本体１１の外形が正四角形の場合を対象としたものであるが、本発明は、図６に示したような真円形のプロテクタ本体１１についても適用できるものである。この実施形態でも、真円のプロテクタ本体１１の外周に対して、同じ半円弧形状の２本の外形枠体１２が、プロテクタ本体１１の嵌合フランジ１１ｃに嵌合されるものであり、正四角形の場合と同じ作用効果を発揮するものである。
【符号の説明】
【００５８】
１０    プロテクタ
１１    プロテクタ本体
１１Ａ  本体シェル
１１ａ  シェル面
１１ｂ  リブ
１１ｃ  嵌合フランジ
１１ｄ  係止凹部
１２    外形枠体
１２ａ  嵌合溝
１２ｂ  係止凸部   
１３    穴
１４    取付補助筒
１４ａ  フランジ
１４ｂ  回り止め
１５    支持脚
２０    ロール製品
２１    長尺材
２２    巻芯
【要約】
【課題】再利用ができて、汎用性も高くすることができるロール製品用のプロテクタを、簡単な構成によって提供すること。
【解決手段】巻芯２２の端部が取り付けられる穴１３を有したプロテクタ本体１１と、このプロテクタ本体１１の外周に取り付けられて、複数で当該プロテクタ１０の外形を形成することになる外形枠体１２とを備えたこと。
【選択図】図２【図１】
0005416853.tif 000002
【図２】
0005416853.tif 000003
【図３】
0005416853.tif 000004
【図４】
0005416853.tif 000005
【図５】
0005416853.tif 000006
【図６】
0005416853.tif 000007
【図７】
0005416853.tif 000008
【図８】
0005416853.tif 000009